(57)【要約】  簡便な構成でチューニングホールからの水やダストなどの異物の侵入を防止することができ、チューニングホールから外気が吸い込まれることによる気流音の発生を抑制し、気流音が生じた場合でもその放射音を小さくすることができる吸気ダクトを提供する。  一端がエアクリーナに接続され、他端に外気を導入する開口部を有する筒状に形成されるとともに、壁部に内部と外部とを連通するチューニングホールを備える吸気ダクトにおいて、前記吸気ダクトは、前記壁部の内壁面の底面から対向する天面に向けて突出する突部を備え、前記チューニングホールは、前記突部の先端に形成されている。
2012115178.tif 000002
【特許請求の範囲】
【請求項１】
一端がエアクリーナに接続され、他端に外気を導入する開口部を有する筒状に形成されるとともに、壁部に内部と外部とを連通するチューニングホールを備える吸気ダクトにおいて、
前記吸気ダクトは、前記壁部の内壁面の底面から対向する天面に向けて突出する突部を備え、
前記チューニングホールは、前記突部の先端に形成されていることを特徴とする吸気ダクト。
【請求項２】
請求項１に記載の吸気ダクトにおいて、
前記突部の先端は、前記天面から所定の間隔を有していることを特徴とする吸気ダクト。
【請求項３】
請求項２に記載の吸気ダクトにおいて、
前記間隔は、前記吸気ダクトの延設方向と直交する断面における前記チューニングホールの開口距離以上であることを特徴とする吸気ダクト。
【請求項４】
請求項１から３のいずれか１項に記載の吸気ダクトにおいて、
前記突部は、前記天面に溶着される補強部を備えることを特徴とする吸気ダクト。
【請求項５】
請求項１から４のいずれか１項に記載の吸気ダクトにおいて、
前記突部は、整流板として形成されていることを特徴とする吸気ダクト。
【請求項６】
請求項１から４のいずれか１項に記載の吸気ダクトにおいて、
前記突部は、補強リブとして形成されていることを特徴とする吸気ダクト。
【発明の詳細な説明】
【技術分野】
【０００１】
本発明は、吸気ダクトに係り、特に、車両用内燃機関へ外気を導入するために、エアクリーナの上流側に設置される吸気ダクトに関する。
【背景技術】
【０００２】
従来、内燃機関用の吸気ダクトとして、内燃機関の吸気音等の騒音を抑制しようとする要望が多く、下記特許文献に記載されているように、内燃機関の吸気音を抑制するための対策として、管壁にチューニングホールと呼ばれる大気連通孔を穿孔したものが知られている。
【先行技術文献】
【特許文献】
【０００３】
【特許文献１】実開平１−９５５６６号公報
【０００４】
特許文献１に記載された吸気ダクトは、エアクリーナに外気を導入する吸気管中央の管壁に一定径の消音用通孔を設けるとともに、該消音用通孔と上記吸気管の外気導入用開口との間の中央の管壁に新たな消音用通孔を設け、順次新たな消音用通孔と上記開口との間の中央の管壁にさらに新たな消音用通孔を設けて、上記吸気管に少なくとも二個以上の消音用通孔を設けている。【０００５】
このように特許文献１に記載された吸気ダクトは、管壁にチューニングホールとしての消音用通孔を穿孔することで、吸気音を抑制することができるので、簡単な構成で吸気音を抑制することができる。
【発明の概要】
【発明が解決しようとする課題】
【０００６】
上述した従来の吸気ダクトの構成によると、特許文献１に記載された吸気ダクトは、チューニングホールが大気連通孔であるため、大気中のダストや車輪によって跳ね上げられた水がチューニングホールから吸気ダクト内に侵入し、エアクリーナのフィルタエレメントを損傷したり、フィルタエレメントの交換サイクルを長く設定できないといった問題があった。また、チューニングホールから外気が吸い込まれることによる気流音が生じたり、管壁にチューニングホールが穿孔されていることから、内燃機関で生じた脈動音がチューニングホールから放射され、その放射音も大きくなるといった問題もあった。【０００７】
そこで、本発明は上記問題に鑑みてなされたものであり、簡便な構成でチューニングホールからの水やダストなどの異物の侵入を防止することができ、チューニングホールから外気が吸い込まれることによる気流音の発生を抑制し、内燃機関で生じた脈動音の放射音を小さくすることができる吸気ダクトを提供することを目的とする。
【課題を解決するための手段】
【０００８】
本発明に係る吸気ダクトは、一端がエアクリーナに接続され、他端に外気を導入する開口部を有する筒状に形成されるとともに、壁部に内部と外部とを連通するチューニングホールを備える吸気ダクトにおいて、前記吸気ダクトは、前記壁部の内壁面の底面から対向する天面に向けて突出する突部を備え、前記チューニングホールは、前記突部の先端に形成されていることを特徴とする。【０００９】
また、本発明に係る吸気ダクトにおいて、前記突部の先端は、前記天面から所定の間隔を有していると好適である。【００１０】
また、本発明に係る吸気ダクトにおいて、前記間隔は、前記吸気ダクトの延設方向と直交する断面における前記チューニングホールの開口距離以上であると好適である。【００１１】
また、本発明に係る吸気ダクトにおいて、前記突部は、前記天面に溶着される補強部を備えると好適である。【００１２】
また、本発明に係る吸気ダクトにおいて、前記突部は、整流板として形成されていると好適である。【００１３】
また、本発明に係る吸気ダクトにおいて、前記突部は、補強リブとして形成されていると好適である。【００１４】
上記発明の概要は、本発明の必要な特徴の全てを列挙したものではなく、これらの特徴群のサブコンビネーションもまた発明となり得る。
【発明の効果】
【００１５】
本発明に係る吸気ダクトは、チューニングホールが壁部の内壁面の底面から対向する天面に向けて突出する突部の先端に形成されているので、吸気ダクトの外部からダストや水等の異物の侵入を防止することができ、気流音の発生を抑制し、内燃機関で生じた脈動音の放射音を小さくすることができる。【００１６】
また、本発明に係る吸気ダクトは、突部の先端が吸気ダクトの天面から所定の間隔を有し、この間隔が、吸気ダクトの延設方向と直交する断面におけるチューニングホールの開口距離以上に形成されているので、低周波領域の消音効率が向上し、レゾネータなどを併用して全帯域の消音を行うにあたり、レゾネータなどの容積を小さくすることができ、省スペースで消音対策を施すことができる。【００１７】
また、本発明に係る吸気ダクトは、突部が天面に溶着される補強部を備えているので、吸気ダクトの面剛性を高めることができる。【００１８】
また、本発明に係る吸気ダクトは、突部が整流板として形成されているので、吸気ダクト内を流通する外気の円滑な流通を促進することができ、通気抵抗を低減することができる。【００１９】
また、本発明に係る吸気ダクトは、突部が補強リブとして形成されているので、吸気ダクトの面剛性を高めることができる。
【図面の簡単な説明】
【００２０】
【図１】本実施形態に係る吸気ダクトの概要を説明するための斜視図。
【図２】本実施形態に係る吸気ダクトの構成を説明するための図。
【図３】図２におけるＡ−Ａ断面図。
【図４】（Ａ）は本実施形態に係る吸気ダクトの断面図、（Ｂ）は従来の吸気ダクトの断面図。
【図５】本実施形態に係る吸気ダクトと従来の吸気ダクトの消音量を比較したグラフ。
【図６】チューニングホールから天面までの間隔とチューニングホールの開口距離との関係と消音量を比較したグラフ。
【発明を実施するための形態】
【００２１】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００２２】
図１は、本実施形態に係る吸気ダクトの概要を説明するための斜視図であり、図２は、本実施形態に係る吸気ダクトの構成を説明するための図であり、図３は、図２におけるＡ−Ａ断面図であり、図４は、（Ａ）は本実施形態に係る吸気ダクトの断面図、（Ｂ）は従来の吸気ダクトの断面図であり、図５は、本実施形態に係る吸気ダクトと従来の吸気ダクトの消音量を比較したグラフであり、図６は、チューニングホールから天面までの間隔とチューニングホールの開口距離との関係と消音量を比較したグラフである。
【００２３】
図１に示すように、本実施形態に係る吸気ダクト１０は、筒状部材を半割に分割したケース１２ａとカバー１３ａの開口部を互いに組み合わせて筒状に形成されており、一端がエアクリーナに接続されるとともに、他端に外気を導入する開口部１１が形成されている。吸気ダクト１０は、エアクリーナの接続側は略円筒状の円筒部１５が形成されており、開口部１１側は、前記円筒部１５から水平方向に広がるように略扇状の拡口部１６が形成されている。
【００２４】
ケース１２ａとカバー１３ａは、係止手段１４によって互いに組み合わされている。係止手段１４は、ケース１２ａ又はカバー１３ａのいずれか一方に形成した凹部とケース１２ａ又はカバー１３ａのいずれか他方に形成した凸部とが係合する凹凸係合を構成している。なお、ケース１２ａ及びカバー１３ａは、合成樹脂によって形成されており、具体的には、夫々ポリプロピレン系樹脂やポリアミド系樹脂等の熱可塑性の合成樹脂が好適に用いられる。
【００２５】
図２に示すように、ケース１２ａの内壁面は、底面１２が形成されており、カバー１３ａの内壁面は、該底面１２と対向する天面１３が形成されている。底面１２には、天面１３に向けて突出する突部２０が形成されており、突部２０の先端にはチューニングホール２１が穿孔され、該チューニングホール２１によって、吸気ダクト１０の内部と外部とが連通されている。突部２０は開口部１１から導入される外気の通気方向に沿って形成されており、外気導入の際の整流板として作用する。
【００２６】
図３に示すように、チューニングホール２１は、突部２０の長手方向に沿った長孔形状に形成されている。このように、チューニングホール２１を突部２０の先端に形成したことにより、ケース１２ａの外面には、溝部１７が形成されており、チューニングホール２１は、吸気ダクト１０の外面から見た場合、この溝部１７の最深部に形成されている。
【００２７】
また、突部２０には、天面１３に溶着される補強部２２，２２が形成されている。この補強部２２，２２によって、底面１２と天面１３とが互いに溶着され、吸気ダクト１０の面剛性が向上している。なお、補強部２２，２２と天面１３とは、振動溶着、超音波溶着等種々の溶着方法によって溶着されている。
【００２８】
図４に示すように、チューニングホール２１と天面１３とは、所定の間隔Ｙを有して形成されている。この間隔Ｙは、チューニングホール２１における吸気ダクト１０の延設方向と直交する断面における開口距離Ｘ以上に形成されている。
【実施例】
【００２９】
図５は、本実施形態に係る吸気ダクトと、従来のチューニングホールが形成された吸気ダクト（比較例１）及びチューニングホールが形成されていない吸気ダクト（比較例２）の周波数と消音量の解析結果である。【００３０】
図５から明らかなように、本実施形態に係る吸気ダクトは、従来のチューニングホールが形成された吸気ダクトと同様に、チューニングホールが形成されていない吸気ダクトに比べて全ての周波数帯において、消音量が大きくなっていることが確認できた。なお、図５において縦軸は消音量を表し、数値が大きいほど消音効果が高いことを示している。【００３１】
次に、図６を参照して、間隔Ｙと開口距離Ｘとの関係が消音量に与える影響について解析した結果について説明を行う。なお、図６においても図５と同様に縦軸は消音量を表し、数値が大きいほど消音効果が高いことを示している。【００３２】
図６のグラフは、チューニングホールが形成されていない吸気ダクト（比較例３）、チューニングホールを突部に形成し、間隔Ｙを５ｍｍに形成した吸気ダクト（実施例２）、間隔Ｙを１０ｍｍに形成した吸気ダクト（実施例３）、間隔Ｙを２０ｍｍに形成した吸気ダクト（実施例４）、間隔Ｙを３０ｍｍに形成した吸気ダクト（実施例５）の周波数と消音量を比較したデータである。なお、チューニングホールの開口距離Ｘは全て２０ｍｍに形成した。【００３３】
図６から明らかなように、本実施形態に係る吸気ダクトは、チューンニングホールが形成されていない従来の吸気ダクト（比較例３）よりも消音量が大きく、より低い周波数帯の消音が可能であることを示している。一般的に低周波数帯域の消音を行う場合、レゾネータなどの消音器の容積が大きくなってしまい、低周波数帯域の消音は省スペースで対策を行うことが難しい。本実施形態に係る吸気ダクトは、低周波数帯域の消音量が大きいので、レゾネータなども併用して全帯域での消音効率を考えた場合、従来の吸気ダクトに比べてより省スペースで消音対策を行うことが可能となる。【００３４】
また、図６から明らかなように、突部にチューニングホールを形成した場合、間隔Ｙが小さくなるに従って、低周波数の消音量が小さくなっていることが確認できた。消音量と周波数帯域の関係とを考慮すると、実施例４および実施例５の解析結果が示すように、開口距離Ｘと間隔Ｙとの関係は、間隔Ｙが開口距離Ｘ以上に形成することが好ましい。【００３５】
このように、本実施形態に係る吸気ダクト１０は、溝部１７の最深部にチューニングホール２１が形成されているので、大気中のダストや車輪によって跳ね上げられた水がチューニングホール２１から吸気ダクト１０内へ侵入することを防止できる。【００３６】
また、溝部１７の最深部にチューニングホール２１が形成されているので、チューニングホール２１を介して吸気ダクト１０の外部から内部に外気が入り込みづらい構成となっており、外気の吸入によって生じる気流音を抑制することができる。【００３７】
さらに、図４（Ａ）に示すように、内燃機関で生じた脈動音の放射音が生じた場合でも、溝部１７の最深部にチューニングホール２１が形成されていることにより、放射音の測定点Ｍからチューニングホール２１までの測定距離Ｌが、図４（Ｂ）に示すように、従来の吸気ダクトのように、吸気ダクトの管壁にチューニングホールを穿孔した場合の測定距離Ｌ´に比べて大きくすることができ、放射音を低減することができる。【００３８】
以上説明したように、本実施形態に係る吸気ダクト１０では、突部２０を整流板として形成した場合について説明したが、突部２０は、リブを複数配置した形態に形成しても構わない。リブの数は求められる吸気ダクトの面剛性に応じて適宜変更することができる。また、本実施形態に係る吸気ダクト１０では、ケース１２ａとカバー１３ａとを係止手段１４によって係合した場合について説明したが、ケース１２ａとカバー１３ａはそれぞれ
溶着によって組み合わせても良いし、ケース１２ａとカバー１３ａとを樹脂成型によって一体に形成しても構わない。その様な変更又は改良を加えた形態も本発明の技術的範囲に含まれうることが、特許請求の範囲の記載から明らかである。
【符号の説明】
【００３９】
１０  吸気ダクト，    １１  開口部，    １２  底面，    １２ａ  ケース，    １３  天面，    カバー  １３ａ，    １４  係止手段，    １５  円筒部，    １６  拡口部，    １７  溝部，    ２０  突部，    ２１  チューニングホール，    ２２  補強部，    Ｘ  開口距離，    Ｙ  間隔，    Ｌ，Ｌ´  測定距離，    Ｍ  測定点。
【図１】
2012115178.tif 000003
【図２】
2012115178.tif 000004
【図３】
2012115178.tif 000005
【図４】
2012115178.tif 000006
【図５】
2012115178.tif 000007
【図６】
2012115178.tif 000008
【国際調査報告】
2012115178.tif 000009
2012115178.tif 000010
2012115178.tif 000011
2012115178.tif 000012